(57)【要約】  作業者の熟練の度合いを問わず、ブラケットに記憶装置を容易に取り付け可能な、記憶装置取り付けブラケットを提供する。本発明に係る記憶装置取り付けブラケット１は、側面にネジ穴１１を有する略直方体の記憶装置１０を収納する。ブラケット１は、第一の側壁部２と、第一の側壁部２と対向する第二の側壁部３と、第一の側壁部２に設けられ、第二の側壁部３側に突出する突起部５と、第二の側壁部３に設けられる弾性体７とを備える。弾性体７は、記憶装置を第一の側壁部と第二の側壁部との間に収容し、突起部を記憶装置の側面の一方に設けられたネジ穴に嵌合させた状態において、弾性体が記憶装置を第一の側壁部側に付勢する。
2011145349.tif 000002
【特許請求の範囲】
【請求項１】
側面にネジ穴を有する略直方体の記憶装置が取り付けられる記憶装置取り付けブラケットであって、
第一の側壁部と、
前記第一の側壁部と対向する第二の側壁部と、
前記第一の側壁部に設けられ、前記第二の側壁部に向けて突出する突起部と、
前記第二の側壁部に設けられる弾性体とを備え、
前記記憶装置を前記第一の側壁部と前記第二の側壁部との間に収容し、前記突起部を前記記憶装置の前記側面の一方に設けられたネジ穴に嵌合させた状態において、前記弾性体が前記記憶装置を前記第一の側壁部側に付勢する、記憶装置取り付けブラケット。
【請求項２】
前記記憶装置の側面にも更にネジ穴が形成されており、
前記記憶装置取り付けブラケットは、前記第一の側壁部と前記第二の側壁部とを連結する底面部を更に備え、
前記底面部は、前記記憶装置を前記第一の側壁部と前記第二の側壁部との間に収容し、前記突起部を前記記憶装置の前記側面の一方に設けられたネジ穴に嵌合させた状態において、前記記憶装置の底面に設けられたネジ穴と対応する位置に底面ネジ穴を有する、請求項１記載の記憶装置取り付けブラケット。
【請求項３】
前記底面部は、前記記憶装置を前記第一の側壁部と前記第二の側壁部との間に収容し、前記突起部を前記記憶装置の前記側面の一方に設けられたネジ穴に嵌合させた状態において、前記記憶装置の近傍に位置して前記記憶装置の取付位置を規定する位置規定部を更に有する、請求項１または２記載の記憶装置取り付けブラケット。
【請求項４】
前記位置規定部は、前記底面部の一部を垂直に切り起こして形成される切り起こし片である、請求項３記載の記憶装置取り付けブラケット。
【請求項５】
前記位置規定部は、前記底面部の内面に記された線である、請求項３記載の記憶装置取り付けブラケット。
【請求項６】
前記底面部は、前記底面ネジ穴を取り囲む環状の部分を内側に突出させることによって形成されるグロメットを更に有する、請求項２記載の記憶装置取り付けブラケット。
【発明の詳細な説明】
【技術分野】
【０００１】
本発明は記憶装置取り付けブラケットに関する。詳しくは、ハードディスクドライブやソリッドステートドライブ等の記憶装置を電子機器に装着する際に介在するブラケットに関する。
【背景技術】
【０００２】
近年、多くの電子機器に記憶装置としてハードディスクドライブ（以下、「ＨＤＤ」ともいう）や、ソリッドステートドライブ（以下、「ＳＳＤ」ともいう）が搭載されている。記憶装置を電子機器に搭載する際には、記憶装置と電子機器の間にブラケットを介在させて取り付けを行う。【０００３】
記憶装置はネジによってブラケットに取り付けられる。ＨＤＤやＳＳＤの側面や底面にはネジ穴が形成されており、その位置は規格化されている。よって一般的に、同じ規格のＨＤＤやＳＳＤならば、製造業者を問わずブラケットに取り付けることが可能である。【０００４】
ブラケットに記憶装置を取り付ける際には、記憶装置の対向する一対の側面に設けられたネジ穴を使用することが一般的である。この場合、作業者は、２方向からネジ止めを行う必要があるので、作業性が悪い。【０００５】
ここで、ブラケット側のネジ穴を長孔状にした構成が知られている（例えば、特許文献１参照）。
【先行技術文献】
【特許文献】
【０００６】
【特許文献１】特開２００６−１６４３２９号公報
【発明の概要】
【発明が解決しようとする課題】
【０００７】
しかしながら、特許文献１に記載のように長孔状のネジ穴をブラケットに形成した場合でも、このネジ穴のどの部位にネジ止めをするかは、依然として作業者の感覚に任されることになる。よって、作業者の熟練の度合いによっては作業効率の低下につながる。【０００８】
それ故に、本発明の目的は、作業者の熟練の度合いを問わず、ブラケットに記憶装置を容易に取り付け可能な、記憶装置取り付けブラケットを提供することである。
【課題を解決するための手段】
【０００９】
本発明は、側面にネジ穴を有する略直方体の記憶装置が取り付けられる記憶装置取り付けブラケットに関する。当該ブラケットは、第一の側壁部と、第一の側壁部と対向する第二の側壁部と、第一の側壁部に設けられ、第二の側壁部に向けて突出する突起部と、第二の側壁部に設けられる弾性体とを備える。記憶装置を第一の側壁部と第二の側壁部との間に収容し、突起部を記憶装置の側面の一方に設けられたネジ穴に嵌合させた状態において、弾性体が記憶装置を第一の側壁部側に付勢する。
【発明の効果】
【００１０】
本発明の記憶装置取り付けブラケットによれば、突起部に記憶装置のネジ穴を嵌合させながら、記憶装置を記憶装置取り付けブラケットに収納するという簡単な動作を行うだけで、弾性体の働きによって第一の側壁部と第二の側壁部の間に記憶装置が保持されるので、組み立て作業の効率が向上する。
【図面の簡単な説明】
【００１１】
【図１】図１は、実施の形態に係る記憶装置取り付けブラケットの斜視図である。
【図２】図２は、実施の形態に係る記憶装置取り付けブラケットの平面図である。
【図３】図３は、ブラケットへの記憶装置の取り付け方法を説明するための図である。
【図４】図４は、ブラケットへの記憶装置の取り付け方法を説明するための図であって、図３に続く図である。
【図５】図５は、ブラケットへの記憶装置の取り付け方法を説明するための図であって、図４に続く図である。
【図６】図６は、図１に示した第二の側壁部の拡大図である。
【図７】図７は、図２に示したラインＶＩＩ−ＶＩＩに沿った断面図である。
【図８】図８は、ブラケットに記憶装置が取り付けられた状態におけるブラケットの底面図である。
【発明を実施するための形態】
【００１２】
以下、本発明の一実施の形態について図面を参照しながら説明する。
【００１３】
図１は、実施の形態に係る記憶装置取り付けブラケットの斜視図であり、図２は、実施の形態に係る記憶装置取り付けブラケットの平面図である。
【００１４】
記憶装置取り付けブラケット１（以下、単に「ブラケット」ともいう）は、第一の側壁部２と、第一の側壁部２に対向する第二の側壁部３と、第一の側壁部２と第二の側壁部３の下辺部同士を連結する底面部４とを有する。本実施の形態では、ブラケット１は、１枚の金属板を金型で成型することによって形成されている。
【００１５】
ブラケット１は、ＨＤＤやＳＤＤ等の記憶装置を収納するためのブラケットである。具体的には、ブラケット１の底面部４上に記憶装置が載置され、第一の側壁部２と第二の側壁部３とで記憶装置を挟持する。以下、図１〜８を併せて参照しながら、ブラケット１への記憶装置の取り付け手順と共にブラケット１の構成を詳述する。
【００１６】
図３は、ブラケットへの記憶装置の取り付け方法を説明するための図である。
【００１７】
記憶装置１０は、略直方体形状を有しており、互いに対向する側面１４及び１５と、前面１６及び後面１７と、上面１８及び底面１９とを有する。側面１４には、図３に示すように、２つのネジ穴１１が設けられている。同様に、側面１５にも２つのネジ穴１１が設けられている（図４参照）。更に、底面１９にもネジ穴が設けられている（図８で後述）。側面１４及び１５と底面１９とに設けられたネジ穴は、記憶装置１０を他の部材にネジ止めに用いられるものであり、各面に設けられるネジ穴の数や位置は規格で定められている。
【００１８】
ブラケット１の第一の側壁部２には、第二の側壁部３に向けて突出する一対の突起部５が形成されている。突起部５は、金型によって第一の側壁部２を部分的に窪ませることによって形成されており、第二の側壁部３に向かうにつれて外径が狭まるテーパー形状を有する。突起部５の先端部の外径は、記憶装置１０のネジ穴１１の内径よりも小さく、突起部５はネジ穴１１に嵌合することができる。突起部５は、必ずしもテーパー形状である必要はないが、先端部から根元にかけて突起部５の外径が増加する形状であることが好ましい。突起部５の横断面（第一の側壁部２の内面と平行な平面による切断面）が略円形であって、先端部から根元にかけて突起部５の外径が増加する場合、丸孔であるネジ穴１１の内周部と突起部５の外面とがフィットし、突起部５とネジ穴１１との嵌合性が向上するという利点がある。例えば、突起部５は、本実施の形態のような略円錐形状や、半球形状に形成されていれば良い。さらには、先端部から根元にかけて突起部５の外径が緩やかに増加することがより好ましい。前述の略円錐形状を採用する場合は、テーパー角を大きくすることによって、突起部５の外径変化を緩やかにすることができる。また、前述の半球形状を採用する場合は、曲率半径を大きくすれば良い。先端部から根元にかけて突起部５の外径が緩やかに変化する場合、ブラケット１への記憶装置１０の取り付け時に、記憶装置１０の側面１４を第一の側壁部２の内面に沿わせて記憶装置１０を摺動させることによって、スムーズに突起部５とネジ穴１１とを嵌合させることができる。
【００１９】
図４は、ブラケットへの記憶装置の取り付け方法を説明するための図であって、図３に続く図である。
【００２０】
図４には、ブラケット１に記憶装置１０が嵌め込まれる過程で、突起部５がネジ穴１１に嵌合した状態が示されている。突起部５とネジ穴１１とは、突起部５の少なくとも先端部がネジ穴１１に挿入され、ネジ穴１１が上下左右にガタつかない程度に嵌合していれば良い。つまり、必ずしもネジ穴１１が突起部５に固定され、強固に嵌合がなされている必要はない。これは、突起部５とネジ穴１１との嵌合は、記憶装置１０をブラケット１に仮止めするためのものであるからである。
【００２１】
ブラケット１の底面部４には、記憶装置１０の取り付け位置を大まかに規定するための位置規定部６が設けられている。本実施の形態では、位置規定部６は、底面部４の一部を内側（第一の側壁部２と第二の側壁部３とで挟まれる空間側）に切り起こした切り起こしによって形成されている。位置規定部６は、突起部５がネジ穴１１に嵌合した状態において、記憶装置１０の前面１６と近接して対向する位置に設けられている。ブラケット１への記憶装置１０の取り付け時には、記憶装置１０の前面１６を位置規定部６の近傍に配置することによって、記憶装置１０のネジ穴１１が突起部５の近傍に配置される。このように、位置規定部６をブラケット１に対する記憶装置１０の位置決めの目安として用いることによって、ネジ穴１１と突起部５とを速やかに嵌合させることが可能となり、組み立て時の作業効率が向上する。
【００２２】
尚、位置規定部６は、突起部５をネジ穴１１に挿入させて嵌合させるための目安であるので、本実施の形態のような切り起こしに代えて、例えば底面部４に記された線であっても良い。この場合、作業者は底面部４に記された線を目安に、ブラケット１に対する記憶装置１０の位置合わせを行えば良い。本実施の形態のように、位置規定部６を切り起こしで形成すれば、記憶装置１０の前面１６または後面１７と切り起こしとが略接触するように記憶装置１０を配置するという簡単な作業によって、ブラケット１と記憶装置１０との位置関係が容易に定まるという利点がある。位置規定部６を線で構成した場合には、加工コストが廉価という利点がある。また、位置規定部６は、プレス加工などで底面部４上に形成した突起や凸条で形成しても良い。この場合の、突起や凸条の形状は、特に限定されず、位置決めの目安になり得るものであれば良い。位置規定部６を突起や凸条で形成した場合、切り起こしで位置規定部６を形成した場合のメリットと、線を位置規定部６とした場合のメリットの両方を得ることができる。
【００２３】
図５は、ブラケットへの記憶装置の取り付け方法を説明するための図であって、図４に続く図である。
【００２４】
図５には、第一の側壁部２と第二の側壁部３との間に形成される空間に記憶装置１０が収容された状態が示されている。この状態で、突起部５はネジ穴１１に嵌合し、第二の側壁部３に設けられた弾性体７によって記憶装置１０がブラケット１に仮止めされている。以下、この弾性体７の詳細を説明する。
【００２５】
図６は、図１に示した第二の側壁部の拡大図であり、図７は、図２に示したラインＶＩＩ−ＶＩＩに沿った断面図である。
【００２６】
弾性体７は、第二の側壁部３の一部を切り起こして曲げ加工することによって形成された板バネである。弾性体７は、２箇所の屈曲部２１及び２２で折り曲げられ、第二の側壁部３とほぼ同一面を構成する第一の平板部２３と、第二の側壁部３の内面を含む平面から立ち上がる第二の平板部２４と、第二の側壁部３とほぼ平行な第三の平板部２５とを有する。この第三の平板部２５は、記憶装置１０を嵌め込んだ際に記憶装置１０から押圧力を受けるように、第二の側壁部３の内面よりも第一の側壁部２側に配置されている。したがって、図７の二点鎖線で示す位置に記憶装置１０を嵌め込むと、弾性体７は、記憶装置１０から加わる押圧力に対する反発力を発揮し、記憶装置１０を図７に示した矢印方向に付勢する。これにより、記憶装置１０は、第一の側壁部２に押し付けられた状態となる。上述したように、記憶装置１０の側面のネジ穴には、第一の側壁部２に設けられた突起部５が嵌合している。この結果、記憶装置１０は、第一の側壁部２と直交する方向に加えて、第一の側壁部２と平行な方向への移動も阻止された状態でブラケット１に保持される。
【００２７】
図８は、ブラケットに記憶装置が取り付けられた状態におけるブラケットの底面図である。
【００２８】
ブラケット１の底面部４には、複数の底面ネジ穴３１が形成されている。これらの底面ネジ穴３１は、記憶装置１０を第一の側壁部２及び第二の側壁部３の間に収容し、突起部５がネジ穴１１と嵌合した状態において、記憶装置１０の底面１９に形成されたネジ穴１２と略同心円状に重なる位置に形成されている。したがって、記憶装置１０のネジ穴１２にネジを挿通させて底面ネジ穴３１にネジ止めすることによって、ブラケット１に記憶装置１０を固定することができる。
【００２９】
ここで、記憶装置１０をブラケット１にネジ止めする際に、ネジ穴１２と底面ネジ穴３１との位置関係を意識的に調整する必要はない。なぜならば、ブラケット１に形成され突起部５と底面ネジ穴３１の位置関係は、記憶装置１０のネジ穴１１とネジ穴１２の位置関係（規格によって定められている）と一致しているからである。つまり、突起部５がネジ穴１１に嵌合していれば、自然と記憶装置１０の底面１９のネジ穴１２と、記憶装置取り付けブラケット１の底面ネジ穴３１とが対応することになる。
【００３０】
また、突起部５をネジ穴１１に嵌合することは、作業者の熟練を要するものではない。なぜならば、突起部５近辺に記憶装置１０の一方の側面を沿わせながらブラケット１に挿入すると、自然と突起部５がネジ穴１１に導かれて嵌り込むからである。また、位置規定部６を利用することによって更に容易に突起部５をネジ穴１１に嵌合できることは上述した通りである。
【００３１】
なお、図１及び８に示されるように、底面ネジ穴３１周辺の環状の部分を内側（記憶装置１０の取り付け面側）に突出させることによって、グロメット１３が形成されている。このグロメット１３は、記憶装置１０の底面１９を底面部４の内面から浮かせることによって、記憶装置１０の底面１９に回路チップ等のわずかに突出した部分がある場合でも記憶装置１０を底面部４に安定して保持するためのものである。
【００３２】
以上説明したように、本発明に係る記憶装置取付ブラケット１は、記憶装置１０の寸法規格に従って配置されるネジ穴１１と嵌合する突起部５と、記憶装置１０を突起部５側へと付勢する弾性体７とを備える。突起部５を記憶装置１０のネジ穴１１に嵌合させながら、記憶装置１０をブラケット１に収納すると、弾性体７の働きによって第一の側壁部２と第二の側壁部３との間に記憶装置１０が保持される。
【００３３】
このような構成によれば、ブラケット１に記憶装置１０を装着する操作を容易に行うことができ、作業効率が向上する。具体的には、作業者は、ブラケット１を作業台に置いたまま、片手でブラケット１を押さえ、他方の片手で記憶装置１０を持って、第一の側壁部２に記憶装置１０のネジ穴１１を有する側面を押し当てるようにすれば、精密な位置合わせを行うことなく突起部５にネジ穴１１が嵌合する。そして、記憶装置１０をブラケット１内に押し込んで、弾性体７を弾性変形させながら、第一の側壁部２と第二の側壁部３との間の空間に収容する。このようにすれば、記憶装置１０は十分な強度でブラケット１に仮止めされるので、記憶装置１０の側面にネジ止めを行う作業が不要となる。よって、従来のように、片手でブラケットを空中に保持し、不安定な状態で記憶装置を上下あるいは左右に摺動させながら位置調整をし、更にネジ止めを行うといった煩雑な取り付け作業が必要なくなる。
【００３４】
また、本実施の形態のように、突起部５と底面ネジ穴３１の形成位置を記憶装置１０の寸法規格に従って設計しておけば、ブラケット１への記憶装置１０の取り付けと同時に、ブラケット１の底面ネジ穴３１と記憶装置１０のネジ穴１２との位置合わせを行うことができる。従って、ブラケット１に記憶装置１０をネジ止めする作業効率が向上する。
【００３５】
（その他の変形例）
尚、本実施の形態では、記憶装置の一例としてＨＤＤ及びＳＳＤを取り上げたが、もちろん、ネジ穴を有する記憶装置であれば特に限定されない。
【００３６】
また、本実施の形態では、ブラケット１を金属板のプレス加工で構成した例を説明したが、第一の側壁部２、第二の側壁部３、底面部４を２以上の部材で作製し、各部材を相互に接続することによってブラケット１を構成しても良い。
【００３７】
更に、本実施の形態では、第一の側壁部２及び第二の側壁部３を接続する底面部４が平板で構成されているが、底面部４は、第一の側壁部２と第二の側壁部３との位置関係を固定できる部材であれば、平板以外でも良い。
【００３８】
更に、本実施の形態では、第一の側壁部２に２つの突起部５が設けられているが、突起部５の数は１つでも良い。また、記憶装置１０の側面１４に設けられたネジ穴１１の数に応じて、３以上の突起部を設けても良い。
【００３９】
更に、本実施の形態では、突起部５は円錐状に形成されているが、ネジ穴１１と嵌合できる限り、突起部５の形状は任意である。突起部５は、例えば、半球状、角錐状、円柱状であっても良い。
【００４０】
更に、本実施の形態では、底面部４に底面ネジ穴３１が設けられているが、記憶装置１０とブラケット１とのネジ止めが不要である場合や、弾性体７の付勢力のみで記憶装置１０を保持できる場合には、底面ネジ穴３１を省略しても良い。
【００４１】
更に、本実施の形態では、弾性体７は、第二の側壁部３の切り起こしによって形成した板バネであるが、第一の側壁部２から第二の側壁部３へと向かう方向に働く押圧力が加えられたときに第一の側壁部２側へと付勢力を発揮できる構造であれば良い。
【００４２】
更に、本実施の形態では、１つの弾性体７が設けられているが、２以上の弾性体を設けても良い。
【００４３】
更に、本実施の形態では、位置規定部６が設けられているが、位置規定部６は省略しても良い。
【００４４】
更に、本実施の形態では、底面部４に位置規定部６を設けているが、位置規定部６は、第一の側壁部２または第二の側壁部３に設けても良い。
【００４５】
更に、本実施の形態では、底面部４は略三角形状であるが、底面部４の形状は任意である。
【００４６】
更に、本実施の形態では、底面部４にグロメット１３を設けているが、グロメット１３は省略しても良い。ただし、グロメット１３を形成した場合は記憶装置１０を底面部４から浮かせてブラケット１に固定することができるので、振動の伝達を防止でき、また熱問題を解消することもできる。グロメット１３は以上のような作用をもたらすものであれば任意のものを使用することができ、たとえば、底面部４を凹凸加工するなどしてもよい。
【産業上の利用可能性】
【００４７】
本発明の記憶装置取り付けブラケットは、例えば番組録画機等の電子機器の筐体内に記憶装置を取り付けるために利用できる。
【符号の説明】
【００４８】
１  記憶装置取り付けブラケット
２  第一の側壁部
３  第二の側壁部
４  底面部
５  突起部
６  位置規定部
７  弾性体
１０  記憶装置
１１，１２  ネジ穴
１３  グロメット
１４，１５  側面
１９  底面
２１，２２  屈曲部
２３  第一の平板部
２４  第二の平板部
２５  第三の平板部
３１  底面ネジ穴
【図１】
2011145349.tif 000003
【図２】
2011145349.tif 000004
【図３】
2011145349.tif 000005
【図４】
2011145349.tif 000006
【図５】
2011145349.tif 000007
【図６】
2011145349.tif 000008
【図７】
2011145349.tif 000009
【図８】
2011145349.tif 000010
【手続補正書】
【提出日】平成24年2月1日(2012.2.1)
【手続補正１】
【補正対象書類名】明細書
【補正対象項目名】全文
【補正方法】変更
【補正の内容】
【発明の詳細な説明】
【技術分野】
【０００１】
本発明は記憶装置取り付けブラケットに関する。詳しくは、ハードディスクドライブやソリッドステートドライブ等の記憶装置を電子機器に装着する際に介在するブラケットに関する。
【背景技術】
【０００２】
近年、多くの電子機器に記憶装置としてハードディスクドライブ（以下、「ＨＤＤ」ともいう）や、ソリッドステートドライブ（以下、「ＳＳＤ」ともいう）が搭載されている。記憶装置を電子機器に搭載する際には、記憶装置と電子機器の間にブラケットを介在させて取り付けを行う。
【０００３】
記憶装置はネジによってブラケットに取り付けられる。ＨＤＤやＳＳＤの側面や底面にはネジ穴が形成されており、その位置は規格化されている。よって一般的に、同じ規格のＨＤＤやＳＳＤならば、製造業者を問わずブラケットに取り付けることが可能である。
【０００４】
ブラケットに記憶装置を取り付ける際には、記憶装置の対向する一対の側面に設けられたネジ穴を使用することが一般的である。この場合、作業者は、２方向からネジ止めを行う必要があるので、作業性が悪い。
【０００５】
ここで、ブラケット側のネジ穴を長孔状にした構成が知られている（例えば、特許文献１参照）。
【先行技術文献】
【特許文献】
【０００６】
【特許文献１】特開２００６−１６４３２９号公報
【発明の概要】
【発明が解決しようとする課題】
【０００７】
しかしながら、特許文献１に記載のように長孔状のネジ穴をブラケットに形成した場合でも、このネジ穴のどの部位にネジ止めをするかは、依然として作業者の感覚に任されることになる。よって、作業者の熟練の度合いによっては作業効率の低下につながる。
【０００８】
それ故に、本発明の目的は、作業者の熟練の度合いを問わず、ブラケットに記憶装置を容易に取り付け可能な、記憶装置取り付けブラケットを提供することである。
【課題を解決するための手段】
【０００９】
本発明は、側面にネジ穴を有する略直方体の記憶装置が取り付けられる記憶装置取り付けブラケットに関する。当該ブラケットは、第一の側壁部と、第一の側壁部と対向する第二の側壁部と、第一の側壁部に設けられ、第二の側壁部に向けて突出する突起部と、第二の側壁部に設けられる弾性体とを備える。記憶装置を第一の側壁部と第二の側壁部との間に収容し、突起部を記憶装置の側面の一方に設けられたネジ穴に嵌合させた状態において、弾性体が記憶装置を第一の側壁部側に付勢する。
【発明の効果】
【００１０】
本発明の記憶装置取り付けブラケットによれば、突起部に記憶装置のネジ穴を嵌合させながら、記憶装置を記憶装置取り付けブラケットに収納するという簡単な動作を行うだけで、弾性体の働きによって第一の側壁部と第二の側壁部の間に記憶装置が保持されるので、組み立て作業の効率が向上する。
【図面の簡単な説明】
【００１１】
【図１】実施の形態に係る記憶装置取り付けブラケットの斜視図
【図２】実施の形態に係る記憶装置取り付けブラケットの平面図
【図３】ブラケットへの記憶装置の取り付け方法を説明するための図
【図４】ブラケットへの記憶装置の取り付け方法を説明するための図であって、図３に続く図
【図５】ブラケットへの記憶装置の取り付け方法を説明するための図であって、図４に続く図
【図６】図１に示した第二の側壁部の拡大図
【図７】図２に示したラインＶＩＩ−ＶＩＩに沿った断面図
【図８】ブラケットに記憶装置が取り付けられた状態におけるブラケットの底面図
【発明を実施するための形態】
【００１２】
以下、本発明の一実施の形態について図面を参照しながら説明する。
【００１３】
図１は、実施の形態に係る記憶装置取り付けブラケットの斜視図であり、図２は、実施の形態に係る記憶装置取り付けブラケットの平面図である。
【００１４】
記憶装置取り付けブラケット１（以下、単に「ブラケット」ともいう）は、第一の側壁部２と、第一の側壁部２に対向する第二の側壁部３と、第一の側壁部２と第二の側壁部３の下辺部同士を連結する底面部４とを有する。本実施の形態では、ブラケット１は、１枚の金属板を金型で成型することによって形成されている。
【００１５】
ブラケット１は、ＨＤＤやＳＤＤ等の記憶装置を収納するためのブラケットである。具体的には、ブラケット１の底面部４上に記憶装置が載置され、第一の側壁部２と第二の側壁部３とで記憶装置を挟持する。以下、図１〜８を併せて参照しながら、ブラケット１への記憶装置の取り付け手順と共にブラケット１の構成を詳述する。
【００１６】
図３は、ブラケットへの記憶装置の取り付け方法を説明するための図である。
【００１７】
記憶装置１０は、略直方体形状を有しており、互いに対向する側面１４及び１５と、前面１６及び後面１７と、上面１８及び底面１９とを有する。側面１４には、図３に示すように、２つのネジ穴１１が設けられている。同様に、側面１５にも２つのネジ穴１１が設けられている（図４参照）。更に、底面１９にもネジ穴が設けられている（図８で後述）。側面１４及び１５と底面１９とに設けられたネジ穴は、記憶装置１０を他の部材にネジ止めに用いられるものであり、各面に設けられるネジ穴の数や位置は規格で定められている。
【００１８】
ブラケット１の第一の側壁部２には、第二の側壁部３に向けて突出する一対の突起部５が形成されている。突起部５は、金型によって第一の側壁部２を部分的に窪ませることによって形成されており、第二の側壁部３に向かうにつれて外径が狭まるテーパー形状を有する。突起部５の先端部の外径は、記憶装置１０のネジ穴１１の内径よりも小さく、突起部５はネジ穴１１に嵌合することができる。突起部５は、必ずしもテーパー形状である必要はないが、先端部から根元にかけて突起部５の外径が増加する形状であることが好ましい。突起部５の横断面（第一の側壁部２の内面と平行な平面による切断面）が略円形であって、先端部から根元にかけて突起部５の外径が増加する場合、丸孔であるネジ穴１１の内周部と突起部５の外面とがフィットし、突起部５とネジ穴１１との嵌合性が向上するという利点がある。例えば、突起部５は、本実施の形態のような略円錐形状や、半球形状に形成されていれば良い。さらには、先端部から根元にかけて突起部５の外径が緩やかに増加することがより好ましい。前述の略円錐形状を採用する場合は、テーパー角を大きくすることによって、突起部５の外径変化を緩やかにすることができる。また、前述の半球形状を採用する場合は、曲率半径を大きくすれば良い。先端部から根元にかけて突起部５の外径が緩やかに変化する場合、ブラケット１への記憶装置１０の取り付け時に、記憶装置１０の側面１４を第一の側壁部２の内面に沿わせて記憶装置１０を摺動させることによって、スムーズに突起部５とネジ穴１１とを嵌合させることができる。
【００１９】
図４は、ブラケットへの記憶装置の取り付け方法を説明するための図であって、図３に続く図である。
【００２０】
図４には、ブラケット１に記憶装置１０が嵌め込まれる過程で、突起部５がネジ穴１１に嵌合した状態が示されている。突起部５とネジ穴１１とは、突起部５の少なくとも先端部がネジ穴１１に挿入され、ネジ穴１１が上下左右にガタつかない程度に嵌合していれば良い。つまり、必ずしもネジ穴１１が突起部５に固定され、強固に嵌合がなされている必要はない。これは、突起部５とネジ穴１１との嵌合は、記憶装置１０をブラケット１に仮止めするためのものであるからである。
【００２１】
ブラケット１の底面部４には、記憶装置１０の取り付け位置を大まかに規定するための位置規定部６が設けられている。本実施の形態では、位置規定部６は、底面部４の一部を内側（第一の側壁部２と第二の側壁部３とで挟まれる空間側）に切り起こした切り起こしによって形成されている。位置規定部６は、突起部５がネジ穴１１に嵌合した状態において、記憶装置１０の前面１６と近接して対向する位置に設けられている。ブラケット１への記憶装置１０の取り付け時には、記憶装置１０の前面１６を位置規定部６の近傍に配置することによって、記憶装置１０のネジ穴１１が突起部５の近傍に配置される。このように、位置規定部６をブラケット１に対する記憶装置１０の位置決めの目安として用いることによって、ネジ穴１１と突起部５とを速やかに嵌合させることが可能となり、組み立て時の作業効率が向上する。
【００２２】
尚、位置規定部６は、突起部５をネジ穴１１に挿入させて嵌合させるための目安であるので、本実施の形態のような切り起こしに代えて、例えば底面部４に記された線であっても良い。この場合、作業者は底面部４に記された線を目安に、ブラケット１に対する記憶装置１０の位置合わせを行えば良い。本実施の形態のように、位置規定部６を切り起こしで形成すれば、記憶装置１０の前面１６または後面１７と切り起こしとが略接触するように記憶装置１０を配置するという簡単な作業によって、ブラケット１と記憶装置１０との位置関係が容易に定まるという利点がある。位置規定部６を線で構成した場合には、加工コストが廉価という利点がある。また、位置規定部６は、プレス加工などで底面部４上に形成した突起や凸条で形成しても良い。この場合の、突起や凸条の形状は、特に限定されず、位置決めの目安になり得るものであれば良い。位置規定部６を突起や凸条で形成した場合、切り起こしで位置規定部６を形成した場合のメリットと、線を位置規定部６とした場合のメリットの両方を得ることができる。
【００２３】
図５は、ブラケットへの記憶装置の取り付け方法を説明するための図であって、図４に続く図である。
【００２４】
図５には、第一の側壁部２と第二の側壁部３との間に形成される空間に記憶装置１０が収容された状態が示されている。この状態で、突起部５はネジ穴１１に嵌合し、第二の側壁部３に設けられた弾性体７によって記憶装置１０がブラケット１に仮止めされている。以下、この弾性体７の詳細を説明する。
【００２５】
図６は、図１に示した第二の側壁部の拡大図であり、図７は、図２に示したラインＶＩＩ−ＶＩＩに沿った断面図である。
【００２６】
弾性体７は、第二の側壁部３の一部を切り起こして曲げ加工することによって形成された板バネである。弾性体７は、２箇所の屈曲部２１及び２２で折り曲げられ、第二の側壁部３とほぼ同一面を構成する第一の平板部２３と、第二の側壁部３の内面を含む平面から立ち上がる第二の平板部２４と、第二の側壁部３とほぼ平行な第三の平板部２５とを有する。この第三の平板部２５は、記憶装置１０を嵌め込んだ際に記憶装置１０から押圧力を受けるように、第二の側壁部３の内面よりも第一の側壁部２側に配置されている。したがって、図７の二点鎖線で示す位置に記憶装置１０を嵌め込むと、弾性体７は、記憶装置１０から加わる押圧力に対する反発力を発揮し、記憶装置１０を図７に示した矢印方向に付勢する。これにより、記憶装置１０は、第一の側壁部２に押し付けられた状態となる。上述したように、記憶装置１０の側面のネジ穴には、第一の側壁部２に設けられた突起部５が嵌合している。この結果、記憶装置１０は、第一の側壁部２と直交する方向に加えて、第一の側壁部２と平行な方向への移動も阻止された状態でブラケット１に保持される。
【００２７】
図８は、ブラケットに記憶装置が取り付けられた状態におけるブラケットの底面図である。
【００２８】
ブラケット１の底面部４には、複数の底面ネジ穴３１が形成されている。これらの底面ネジ穴３１は、記憶装置１０を第一の側壁部２及び第二の側壁部３の間に収容し、突起部５がネジ穴１１と嵌合した状態において、記憶装置１０の底面１９に形成されたネジ穴１２と略同心円状に重なる位置に形成されている。したがって、記憶装置１０のネジ穴１２にネジを挿通させて底面ネジ穴３１にネジ止めすることによって、ブラケット１に記憶装置１０を固定することができる。
【００２９】
ここで、記憶装置１０をブラケット１にネジ止めする際に、ネジ穴１２と底面ネジ穴３１との位置関係を意識的に調整する必要はない。なぜならば、ブラケット１に形成され突起部５と底面ネジ穴３１の位置関係は、記憶装置１０のネジ穴１１とネジ穴１２の位置関係（規格によって定められている）と一致しているからである。つまり、突起部５がネジ穴１１に嵌合していれば、自然と記憶装置１０の底面１９のネジ穴１２と、記憶装置取り付けブラケット１の底面ネジ穴３１とが対応することになる。
【００３０】
また、突起部５をネジ穴１１に嵌合することは、作業者の熟練を要するものではない。なぜならば、突起部５近辺に記憶装置１０の一方の側面を沿わせながらブラケット１に挿入すると、自然と突起部５がネジ穴１１に導かれて嵌り込むからである。また、位置規定部６を利用することによって更に容易に突起部５をネジ穴１１に嵌合できることは上述した通りである。
【００３１】
なお、図１及び８に示されるように、底面ネジ穴３１周辺の環状の部分を内側（記憶装置１０の取り付け面側）に突出させることによって、グロメット１３が形成されている。このグロメット１３は、記憶装置１０の底面１９を底面部４の内面から浮かせることによって、記憶装置１０の底面１９に回路チップ等のわずかに突出した部分がある場合でも記憶装置１０を底面部４に安定して保持するためのものである。
【００３２】
以上説明したように、本発明に係る記憶装置取付ブラケット１は、記憶装置１０の寸法規格に従って配置されるネジ穴１１と嵌合する突起部５と、記憶装置１０を突起部５側へと付勢する弾性体７とを備える。突起部５を記憶装置１０のネジ穴１１に嵌合させながら、記憶装置１０をブラケット１に収納すると、弾性体７の働きによって第一の側壁部２と第二の側壁部３との間に記憶装置１０が保持される。
【００３３】
このような構成によれば、ブラケット１に記憶装置１０を装着する操作を容易に行うことができ、作業効率が向上する。具体的には、作業者は、ブラケット１を作業台に置いたまま、片手でブラケット１を押さえ、他方の片手で記憶装置１０を持って、第一の側壁部２に記憶装置１０のネジ穴１１を有する側面を押し当てるようにすれば、精密な位置合わせを行うことなく突起部５にネジ穴１１が嵌合する。そして、記憶装置１０をブラケット１内に押し込んで、弾性体７を弾性変形させながら、第一の側壁部２と第二の側壁部３との間の空間に収容する。このようにすれば、記憶装置１０は十分な強度でブラケット１に仮止めされるので、記憶装置１０の側面にネジ止めを行う作業が不要となる。よって、従来のように、片手でブラケットを空中に保持し、不安定な状態で記憶装置を上下あるいは左右に摺動させながら位置調整をし、更にネジ止めを行うといった煩雑な取り付け作業が必要なくなる。
【００３４】
また、本実施の形態のように、突起部５と底面ネジ穴３１の形成位置を記憶装置１０の寸法規格に従って設計しておけば、ブラケット１への記憶装置１０の取り付けと同時に、ブラケット１の底面ネジ穴３１と記憶装置１０のネジ穴１２との位置合わせを行うことができる。従って、ブラケット１に記憶装置１０をネジ止めする作業効率が向上する。
【００３５】
（その他の変形例）
尚、本実施の形態では、記憶装置の一例としてＨＤＤ及びＳＳＤを取り上げたが、もちろん、ネジ穴を有する記憶装置であれば特に限定されない。
【００３６】
また、本実施の形態では、ブラケット１を金属板のプレス加工で構成した例を説明したが、第一の側壁部２、第二の側壁部３、底面部４を２以上の部材で作製し、各部材を相互に接続することによってブラケット１を構成しても良い。
【００３７】
更に、本実施の形態では、第一の側壁部２及び第二の側壁部３を接続する底面部４が平板で構成されているが、底面部４は、第一の側壁部２と第二の側壁部３との位置関係を固定できる部材であれば、平板以外でも良い。
【００３８】
更に、本実施の形態では、第一の側壁部２に２つの突起部５が設けられているが、突起部５の数は１つでも良い。また、記憶装置１０の側面１４に設けられたネジ穴１１の数に応じて、３以上の突起部を設けても良い。
【００３９】
更に、本実施の形態では、突起部５は円錐状に形成されているが、ネジ穴１１と嵌合できる限り、突起部５の形状は任意である。突起部５は、例えば、半球状、角錐状、円柱状であっても良い。
【００４０】
更に、本実施の形態では、底面部４に底面ネジ穴３１が設けられているが、記憶装置１０とブラケット１とのネジ止めが不要である場合や、弾性体７の付勢力のみで記憶装置１０を保持できる場合には、底面ネジ穴３１を省略しても良い。
【００４１】
更に、本実施の形態では、弾性体７は、第二の側壁部３の切り起こしによって形成した板バネであるが、第一の側壁部２から第二の側壁部３へと向かう方向に働く押圧力が加えられたときに第一の側壁部２側へと付勢力を発揮できる構造であれば良い。
【００４２】
更に、本実施の形態では、１つの弾性体７が設けられているが、２以上の弾性体を設けても良い。
【００４３】
更に、本実施の形態では、位置規定部６が設けられているが、位置規定部６は省略しても良い。
【００４４】
更に、本実施の形態では、底面部４に位置規定部６を設けているが、位置規定部６は、第一の側壁部２または第二の側壁部３に設けても良い。
【００４５】
更に、本実施の形態では、底面部４は略三角形状であるが、底面部４の形状は任意である。
【００４６】
更に、本実施の形態では、底面部４にグロメット１３を設けているが、グロメット１３は省略しても良い。ただし、グロメット１３を形成した場合は記憶装置１０を底面部４から浮かせてブラケット１に固定することができるので、振動の伝達を防止でき、また熱問題を解消することもできる。グロメット１３は以上のような作用をもたらすものであれば任意のものを使用することができ、たとえば、底面部４を凹凸加工するなどしてもよい。
【産業上の利用可能性】
【００４７】
本発明の記憶装置取り付けブラケットは、例えば番組録画機等の電子機器の筐体内に記憶装置を取り付けるために利用できる。
【符号の説明】
【００４８】
１  記憶装置取り付けブラケット
２  第一の側壁部
３  第二の側壁部
４  底面部
５  突起部
６  位置規定部
７  弾性体
１０  記憶装置
１１，１２  ネジ穴
１３  グロメット
１４，１５  側面
１９  底面
２１，２２  屈曲部
２３  第一の平板部
２４  第二の平板部
２５  第三の平板部
３１  底面ネジ穴
【手続補正２】
【補正対象書類名】特許請求の範囲
【補正対象項目名】全文
【補正方法】変更
【補正の内容】
【特許請求の範囲】
【請求項１】
側面にネジ穴を有する略直方体の記憶装置が取り付けられる記憶装置取り付けブラケットであって、
第一の側壁部と、
前記第一の側壁部と対向する第二の側壁部と、
前記第一の側壁部に設けられ、前記第二の側壁部に向けて突出する突起部と、
前記第二の側壁部に設けられる弾性体とを備え、
前記記憶装置を前記第一の側壁部と前記第二の側壁部との間に収容し、前記突起部を前記記憶装置の前記側面の一方に設けられたネジ穴に嵌合させた状態において、前記弾性体が前記記憶装置を前記第一の側壁部側に付勢する、記憶装置取り付けブラケット。
【請求項２】
前記記憶装置の側面にも更にネジ穴が形成されており、
前記記憶装置取り付けブラケットは、前記第一の側壁部と前記第二の側壁部とを連結する底面部を更に備え、
前記底面部は、前記記憶装置を前記第一の側壁部と前記第二の側壁部との間に収容し、前記突起部を前記記憶装置の前記側面の一方に設けられたネジ穴に嵌合させた状態において、前記記憶装置の底面に設けられたネジ穴と対応する位置に底面ネジ穴を有する、請求項１記載の記憶装置取り付けブラケット。
【請求項３】
前記底面部は、前記記憶装置を前記第一の側壁部と前記第二の側壁部との間に収容し、前記突起部を前記記憶装置の前記側面の一方に設けられたネジ穴に嵌合させた状態において、前記記憶装置の近傍に位置して前記記憶装置の取付位置を規定する位置規定部を更に有する、請求項１または２記載の記憶装置取り付けブラケット。
【請求項４】
前記位置規定部は、前記底面部の一部を垂直に切り起こして形成される切り起こし片である、請求項３記載の記憶装置取り付けブラケット。
【請求項５】
前記位置規定部は、前記底面部の内面に記された線である、請求項３記載の記憶装置取り付けブラケット。
【請求項６】
前記底面部は、前記底面ネジ穴を取り囲む環状の部分を内側に突出させることによって形成されるグロメットを更に有する、請求項２記載の記憶装置取り付けブラケット。
【手続補正３】
【補正対象書類名】図面
【補正対象項目名】全図
【補正方法】変更
【補正の内容】
【図１】
2011145349.tif 000011
【図２】
2011145349.tif 000012
【図３】
2011145349.tif 000013
【図４】
2011145349.tif 000014
【図５】
2011145349.tif 000015
【図６】
2011145349.tif 000016
【図７】
2011145349.tif 000017
【図８】
2011145349.tif 000018
【国際調査報告】
2011145349.tif 000019
2011145349.tif 000020